【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
データ伝送方法であって、
端末装置の非アクセス層が、伝送待ちデータの記述情報を取得することと、
前記非アクセス層が、予め設定されたデータ記述情報と信頼性伝送指示情報とのマッピング関係及び前記伝送待ちデータの記述情報に基づいて、前記伝送待ちデータの対応する信頼性伝送指示情報を決定し、前記信頼性伝送指示情報が、前記伝送待ちデータに対して信頼性伝送を行うようにするかどうかを示すためのものであることと、
前記信頼性伝送指示情報が、前記伝送待ちデータに対して信頼性伝送を行うようにすることを示す場合、前記非アクセス層が、前記伝送待ちデータの対応する信頼性伝送指示情報を前記端末装置のアクセス層に伝送してから、前記アクセス層が、信頼性伝送要求メッセージをネットワーク装置に送信し、前記信頼性伝送要求メッセージが、前記端末装置と前記ネットワーク装置との間で、所定の信頼性伝送ポリシーによって前記伝送待ちデータを伝送するためのものであることとを含む、前記方法。
【請求項２】
前記非アクセス層により取得される伝送待ちデータの記述情報は、
前記伝送待ちデータが属するサービス識別子又はアプリケーション識別子、
前記伝送待ちデータが属するサービスタイプ又はアプリケーションタイプ、
前記伝送待ちデータが属するサービス又はアプリケーションに対応する自動運転程度情報、
前記伝送待ちデータのデータタイプ、
又は、前記伝送待ちデータの優先度を含むことを特徴とする
請求項１に記載の方法。
【請求項３】
前記予め設定されたデータ記述情報と信頼性伝送指示情報とのマッピング関係は、
予め設定されたデータが属するサービス識別子又はアプリケーション識別子と信頼性伝送指示情報とのマッピング関係、
予め設定されたデータが属するサービスタイプ又はアプリケーションタイプと信頼性伝送指示情報とのマッピング関係、
予め設定されたデータが属するサービス又はアプリケーションに対応する自動運転程度情報と信頼性伝送指示情報とのマッピング関係、
予め設定されたデータタイプと信頼性伝送指示情報とのマッピング関係、
又は、予め設定されたデータの優先度と信頼性伝送指示情報とのマッピング関係を含むことを特徴とする
請求項２に記載の方法。
【請求項４】
前記非アクセス層が予め設定されたデータ記述情報と信頼性伝送指示情報とのマッピング関係及び前記伝送待ちデータの記述情報に基づいて、前記伝送待ちデータの対応する信頼性伝送指示情報を決定することは、
予め設定されたデータが属するサービス識別子又はアプリケーション識別子と前記信頼性伝送指示情報とのマッピング関係に基づいて、前記伝送待ちデータが属するサービス識別子又はアプリケーション識別子が前記マッピング関係とマッチングした場合、前記伝送待ちデータの対応する信頼性伝送指示情報が前記伝送待ちデータに対して信頼性伝送を行うようにすることを示すと、決定すること、
予め設定されたデータが属するサービスタイプ又はアプリケーションタイプと信頼性伝送指示情報とのマッピング関係に基づいて、前記伝送待ちデータが属するサービスタイプ又はアプリケーションタイプが前記マッピング関係とマッチングした場合、前記伝送待ちデータの対応する信頼性伝送指示情報が前記伝送待ちデータに対して信頼性伝送を行うようにすることを示すと、決定すること、
予め設定されたデータが属するサービス又はアプリケーションに対応する自動運転程度情報と信頼性伝送指示情報とのマッピング関係に基づいて、前記伝送待ちデータが属するサービス又はアプリケーションに対応する自動運転程度情報が前記マッピング関係とマッチングした場合、前記伝送待ちデータの対応する信頼性伝送指示情報が前記伝送待ちデータに対して信頼性伝送を行うようにすることを示すと、決定すること、
予め設定されたデータタイプと信頼性伝送指示情報とのマッピング関係に基づいて、前記伝送待ちデータのデータタイプが前記マッピング関係とマッチングした場合、前記伝送待ちデータの対応する信頼性伝送指示情報が前記伝送待ちデータに対して信頼性伝送を行うようにすることを示すと、決定すること、
又は、予め設定されたデータの優先度と信頼性伝送指示情報とのマッピング関係に基づいて、前記伝送待ちデータの優先度が前記マッピング関係とマッチングした場合、前記伝送待ちデータの対応する信頼性伝送指示情報が前記伝送待ちデータに対して信頼性伝送を行うようにすることを示すと、決定することを含むことを特徴とする
請求項２又は３に記載の方法。
【請求項５】
前記方法は、
前記端末装置の非アクセス層が、事前設定又は既存の通信プロトコルの定義内容に基づいて、前記データ記述情報と信頼性伝送指示情報とのマッピング関係を設定することを更に含むことを特徴とする
請求項１に記載の方法。
【請求項６】
前記アクセス層が信頼性伝送要求メッセージをネットワーク装置に送信した後、前記方法は、
設定されたキャリアアグリゲーションポリシーに基づいて、前記伝送待ちデータを前記ネットワーク装置に送信することを更に含むことを特徴とする
請求項１に記載の方法。
【請求項７】
前記方法は、
前記信頼性伝送指示情報が、前記伝送待ちデータに対して信頼性伝送を行わないことに示すとした場合、前記非アクセス層が、前記信頼性伝送ポリシーによる前記伝送待ちデータの伝送を行わないことを更に含むことを特徴とする
請求項１に記載の方法。
【請求項８】
端末装置であって、非アクセス層に位置する取得部、決定部及び伝送部と、アクセス層に位置する送信部とを備え、
前記取得部は、伝送待ちデータの記述情報を取得するように構成され、
前記決定部は、予め設定されたデータ記述情報と信頼性伝送指示情報とのマッピング関係及び前記伝送待ちデータの記述情報に基づいて、前記伝送待ちデータの対応する信頼性伝送指示情報を決定するように構成され、前記信頼性伝送指示情報が、前記伝送待ちデータに対して信頼性伝送を行うようにするかどうかを示すためのものであり、
前記伝送部は、前記信頼性伝送指示情報が、前記伝送待ちデータに対して信頼性伝送を行うようにすることを示す場合、前記伝送待ちデータの対応する信頼性伝送指示情報を前記端末装置のアクセス層に伝送するように構成され、
前記送信部は、信頼性伝送要求メッセージをネットワーク装置に送信するように構成され、前記信頼性伝送要求メッセージが、前記端末装置と前記ネットワーク装置との間で、所定の信頼性伝送ポリシーによって前記伝送待ちデータを伝送するためのものである、前記端末装置。
【請求項９】
前記取得部により取得された伝送待ちデータの記述情報は、
前記伝送待ちデータが属するサービス識別子又はアプリケーション識別子、
前記伝送待ちデータが属するサービスタイプ又はアプリケーションタイプ、
前記伝送待ちデータが属するサービス又はアプリケーションに対応する自動運転程度情報、
前記伝送待ちデータのデータタイプ、
又は、前記伝送待ちデータの優先度を含むことを特徴とする
請求項８に記載の端末装置。
【請求項１０】
前記予め設定されたデータ記述情報と信頼性伝送指示情報とのマッピング関係は、
予め設定されたデータが属するサービス識別子又はアプリケーション識別子と信頼性伝送指示情報とのマッピング関係、
予め設定されたデータが属するサービスタイプ又はアプリケーションタイプと信頼性伝送指示情報とのマッピング関係、
予め設定されたデータが属するサービス又はアプリケーションに対応する自動運転程度情報と信頼性伝送指示情報とのマッピング関係、
予め設定されたデータタイプと信頼性伝送指示情報とのマッピング関係、
又は、予め設定されたデータの優先度と信頼性伝送指示情報とのマッピング関係を含むことを特徴とする
請求項９に記載の端末装置。
【請求項１１】
前記決定部は、
予め設定されたデータが属するサービス識別子又はアプリケーション識別子と前記信頼性伝送指示情報とのマッピング関係に基づいて、前記伝送待ちデータが属するサービス識別子又はアプリケーション識別子が前記マッピング関係とマッチングした場合、前記伝送待ちデータの対応する信頼性伝送指示情報が前記伝送待ちデータに対して信頼性伝送を行うようにすることを示すと、決定するように構成されるか、
予め設定されたデータが属するサービスタイプ又はアプリケーションタイプと信頼性伝送指示情報とのマッピング関係に基づいて、前記伝送待ちデータが属するサービスタイプ又はアプリケーションタイプが前記マッピング関係とマッチングした場合、前記伝送待ちデータの対応する信頼性伝送指示情報が前記伝送待ちデータに対して信頼性伝送を行うようにすることを示すと、決定するように構成されるか、
予め設定されたデータが属するサービス又はアプリケーションに対応する自動運転程度情報と信頼性伝送指示情報とのマッピング関係に基づいて、前記伝送待ちデータが属するサービス又はアプリケーションに対応する自動運転程度情報が前記マッピング関係とマッチングした場合、前記伝送待ちデータの対応する信頼性伝送指示情報が前記伝送待ちデータに対して信頼性伝送を行うようにすることを示すと、決定するように構成されるか、
予め設定されたデータタイプと信頼性伝送指示情報とのマッピング関係に基づいて、前記伝送待ちデータのデータタイプが前記マッピング関係とマッチングした場合、前記伝送待ちデータの対応する信頼性伝送指示情報が前記伝送待ちデータに対して信頼性伝送を行うようにすることを示すと、決定するように構成されるか、
又は、予め設定されたデータの優先度と信頼性伝送指示情報とのマッピング関係に基づいて、前記伝送待ちデータの優先度が前記マッピング関係とマッチングした場合、前記伝送待ちデータの対応する信頼性伝送指示情報が前記伝送待ちデータに対して信頼性伝送を行うようにすることを示すと、決定するように構成されることを特徴とする
請求項９又は１０に記載の端末装置。
【請求項１２】
前記端末装置は、事前設定又は既存の通信プロトコルの定義内容に基づいて前記データ記述情報と信頼性伝送指示情報とのマッピング関係を設定するように構成される、非アクセス層に位置する設定部を更に備えることを特徴とする
請求項８に記載の端末装置。
【請求項１３】
前記送信部は更に、設定されたキャリアアグリゲーションポリシーに基づいて、前記伝送待ちデータを前記ネットワーク装置に送信するように構成されることを特徴とする
請求項８に記載の端末装置。
【請求項１４】
前記伝送部は更に、前記信頼性伝送指示情報が、前記伝送待ちデータに対して信頼性伝送を行わないことに示すとした場合、前記信頼性伝送ポリシーによる前記伝送待ちデータの伝送を行わないように構成されることを特徴とする
請求項８に記載の端末装置。
【請求項１５】
コンピュータ記憶媒体であって、データ伝送のためのプログラムが記憶されており、前記データ伝送のためのプログラムが少なくとも１つのプロセッサにより実行される時、請求項１から７のうちいずれか一項に記載の方法のステップを実現させる、前記コンピュータ記憶媒体。